(57)【要約】【課題】子供が横格子に足を掛けて登ることを防止できると共に、外観の見栄えが良い横格子体とする。【解決手段】支柱１の外側面１ａに複数の横格子２を上下方向に間隔を置いて取付けた横格子体であって、この横格子２の内側部分２ａの高さＨ１は外側部分２ｂの高さＨ２よりも大きく、上下に隣接した横格子２の内側部分２ａ間の隙間Ｓ１を小さくして、子供が横格子２に足を掛けて登ることを防止し、前記上下に隣接した横格子２の外側部分２ｂ間の隙間Ｓ２を、前記外側部分２ｂの高さＨ２と同一として外観の見栄えを良くする。【選択図】図２
2008175016.tif 000002
【特許請求の範囲】
【請求項１】
支柱に複数の横格子を上下方向に間隔を置いて取付けた横格子体であって、
前記横格子の支柱に取付ける内側部分の高さは、支柱から張り出しする外側部分の高さよりも大きく、
前記上下に隣接した横格子の内側部分間の隙間は小さく、
前記上下に隣接した横格子の外側部分間の隙間は前記内側部分間の隙間よりも大きく、前記横格子の外側部分の高さと同一であることを特徴とする横格子体。
【請求項２】
横格子の下面と上面の少なくともいずれか一方における内側部分と外側部分を連続する部分を、傾斜した空気ガイド面とした請求項１記載の横格子体。
【請求項３】
横格子は、その外側面よりも外側に突出した突片部を有する請求項１又は２記載の横格子体。
【請求項４】
横格子の突片部は、その横格子の上部に設けてある請求項３記載の横格子体。
【発明の詳細な説明】
【技術分野】
【０００１】
本発明は、バルコニーの手摺、階段の手摺、フェンスなどに用いる横格子体に関する。
【背景技術】
【０００２】
階段の手すりとして用いる横格子体が特許文献１に開示されている。
この横格子体は、支柱に横格子（横桟）を上下方向に間隔を置いて複数取付けたものである。
【特許文献１】実開平２−１１３６４４号公報
【発明の開示】
【発明が解決しようとする課題】
【０００３】
前述した従来の横格子体は、階段を歩行する人が転落しないようにする保護棚としての機能を有するが、子供が横格子に足を掛けて登ることがあり、危険である。
このことを防止するには、上下に隣接した横格子の間隔を小さくして子供が横格子に足を掛けることができないようにすることが考えられる。
しかし、このようにすると横格子体を外側から見た時に、複数の横格子が見えると共に、その上下に隣接した横格子間に小さな隙間が見え、外観の見栄えが悪いものとなる。
しかも、前述のようにした横格子体であると、支柱に取付ける横格子の本数が多く、コストが高いものとなる。
【０００４】
本発明の目的は、子供が登ることができないと共に、外観の見栄えが良く、しかも支柱に取付ける横格子の本数を少なくできるようにした横格子体とすることである。
【課題を解決するための手段】
【０００５】
本発明は、支柱に複数の横格子を上下方向に間隔を置いて取付けた横格子体であって、
前記横格子の支柱に取付ける内側部分の高さは、支柱から張り出しする外側部分の高さよりも大きく、
前記上下に隣接した横格子の内側部分間の隙間は小さく、
前記上下に隣接した横格子の外側部分間の隙間は前記内側部分間の隙間よりも大きく、前記横格子の外側部分の高さと同一であることを特徴とする横格子体である。
【０００６】
本発明においては、横格子の下面と上面の少なくともいずれか一方における内側部分と外側部分を連続する部分を、傾斜した空気ガイド面とすることができる。
このようにすれば、上下に隣接した横格子の隙間を、外側から内側に向けて空気が流通する時に発生する風切音を低減できる。
【０００７】
本発明においては、横格子は、その外側面よりも外側に突出した突片部を有するようにできる。
このようにすれば、各横格子の外側部分に沿ってふとんなどの物を上下に移動する際に、その物が突片部に接して横格子の外側面には接しないから、横格子の外側面に付着した汚れで物を汚すことがない。
【０００８】
本発明においては、横格子の突片部は、その横格子の上部に設けることができる。
このようにすれば、横格子体を下から見上げた時に突片部が邪魔にならずに横格子の外側面が見える。
【発明の効果】
【０００９】
本発明によれば、上下に隣接した横格子の内側部分間の隙間が小さく、その隙間に子供が足の指を入れることができないから、横格子に足を掛けて登ることを防止できる。
また、上下に隣接した横格子の外側部分間の隙間は、その横格子の外側部分の高さと同一であるから、横格子体を外側から見た時に、横格子が、その高さと同一の隙間を有して上下に連続して見えるので、外観の見栄えが良い。
また、支柱に取付ける横格子の数を少なくできる。
【発明を実施するための最良の形態】
【００１０】
図１に示すように、複数の支柱１に亘って複数の横格子２を上下方向に間隔を置いて取付けて横格子体としてある。
この実施の形態においては、前記各支柱１はバルコニー躯体の立上り部３に立設され、その各支柱１の上端部間に亘って笠木４が取付けてあると共に、バルコニー躯体の立上り部３の上部に平笠木５が取付けてある。これによって、前述の横格子体はバルコニーの手摺としてある。
【００１１】
前記横格子２は図２に示すように、所定の厚さ（図２で左右方向の寸法）と高さ（図２で上下方向の寸法）を有する略矩形断面の長尺形状である。
前記横格子２は支柱１の外側面１ａに固着して取付けられ、この横格子２は支柱１の外側面１ａよりも外側に張り出している。なお、外側とはバルコニーの人が立つ部分と反対側である。つまり、人が立つ部分を内側、人が立つ部分と反対側を外側としている。
【００１２】
前記横格子２の支柱１に取付けられた内側部分（厚さ方向一側部分）２ａの高さ（上下方向の寸法）Ｈ１は、支柱１よりも張り出した外側部分（厚さ方向他側部分）２ｂの高さ（上下方向の寸法）Ｈ２よりも大きい。
前記上下に隣接した横格子２の内側部分２ａ間の隙間（上下方向の間隔）Ｓ１は、その上下に隣接した横格子２の内側部分２ａ間に子供の足を入れることができないように小さい。例えば、前記隙間Ｓ１は１６ｍｍ以下である。
これによって、バルコニーの内側から子供が横格子２に足を掛けて登ることを防止できる。
【００１３】
前記上下に隣接した横格子２の外側部分２ｂ間の隙間（上下方向の間隔）Ｓ２は、前記内側部分２ａ間の隙間Ｓ１よりも大きく、前記横格子２の外側部分２ｂの高さＨ２と同一である。
このようであるから、外側から見た時に複数の横格子２が、その横格子２の高さ（外側部分２ｂの高さＨ２）と同一の隙間を有して上下に連続して見えるから、外観の見栄えが良い。また、横格子２の数を少なくできる。
前記隙間Ｓ２と高さＨ２が同一であるとは、全く同一の場合、どちらか一方が他方よりも若干大きい場合を含むことである。
【００１４】
前記横格子２は、上面２ｃと下面２ｄと内側面２ｅと外側面２ｆを有し、その内側面２ｅの上下寸法が前述の内側部分２ａの高さＨ１で、前記外側面２ｆの上下寸法が前述の外側部分２ｂの高さＨ２である。
前記下面２ｄにおける内側部分２ａと外側部分２ｂとを連続する部分を空気ガイド面２ｇとしてある。
この空気ガイド面２ｇは、外側部分２ｂから内側部分２ａに向けて順次下方に向かう下向きの傾斜面で、この空気ガイド面２ｇは内側面２ｅの下端部と連続している。
前記空気ガイド面２ｇの傾斜面は、直線状でも良いし、滑らかに湾曲した曲線状であっても良い。
【００１５】
このようであるから、上下に隣接した横格子２間の隙間に空気が流通する際に、大きな隙間Ｓ２から流入した空気の一部が空気ガイド面２ｇに沿って流れて小さな隙間Ｓ１から流出するので、風切音が低減する。
【００１６】
前記横格子２の上面２ｃと内側面２ｅは直角である。その下面２ｄは、上面２ｃと平行な外側寄り下面と、上面２ｃと平行に対して下向きに傾斜した内側寄り下面でへの字形状である。この内側寄り下面が前述の空気ガイド面２ｇである。
すなわち、横格子２の外側部分２ｂは上面と下面が平行で、内側部分２ａの上面は外側部分２ｂの上面と一直線状に連続し、かつ下面は傾斜面となっている。
【００１７】
前記空気ガイド面２ｇを上面２ｃに設けても良い。例えば、前述の横格子２を上下反転した形状とする。
また、図３に示すように空気ガイド面２ｇを上面２ｃと下面２ｄにそれぞれ設けても良い。
この場合には、空気ガイド面２ｇの上下方向の寸法を図２に示す空気ガイド面２ｇの上下方向の寸法の半分として横格子２の内側部分２ａの高さＨ１を前述の図２に示すものと同一としてある。
要するに、横格子２の下面２ｄと上面２ｃの少なくとも一方における内側部分２ａと外側部分２ｂを連続する部分を傾斜面として空気ガイド面２ｇとすれば良い。
【００１８】
前記横格子２は、その外側面２ｆよりも外側に突出した突片部２ｈを有している。
この突片部２ｈは横格子２の高さ方向の任意の位置に設けることができるが、横格子２の上部に設けることが好ましく、より好ましくは横格子２の上面２ｃと一直線状に連続して設ける。
このようであるから、各横格子２の外側部分２ｂに沿って物を滑らせて移動した時に、その物は突片部２ｈに接触しながら移動して外側面２ｆには接触しないようにでき、前記横格子２の外側面２ｆに付着している汚れによって物が汚れることがない。
例えば、バルコニーの手摺においては、その手摺にふとんを掛けて日干しすることがあり、その場合にはふとんが各横格子２の外側面２ｆに接触しながら移動すると、その外側面２ｆに付着した汚れでふとんが汚れることがあるが、前述のように突片部２ｈを設けることでふとんが突片部２ｈに接触して外側面２ｆに接触しないようにできる。
【００１９】
前記突片部２ｈを上部に設けることで、人が横格子２を下から見上げた時に、その突片部２ｈが邪魔にならずに横格子２の外側面２ｆを目視することができる。
【００２０】
次に前記格子２の具体形状を説明する。
前記横格子２は、本体１０と、この本体１０に取付けた装飾体２０を備えている。
前記本体１０はアルミ押出形材で、内側の中空部１１と外側の凹条溝１２を有していると共に、突出片１３を有している。
前記凹条溝１２は長手方向に連続し、かつ外側に向けて開口している。
前記本体１０は、その中空部１１を形成する内側縦板１４（内側面２ｅ）を支柱１の外側面１ａにビス１５で固着して取付けられる。
前記装飾体２０は再生木によって製作され、その内側部２１が前記凹条溝１２に長手方向からスライドして挿入されてビス２２で固着して取付けられる。
この装飾体２０の外側部２３の表面が前述の外側面２ｆで、その外側部２３の表面よりも前記突出片１３が外側に突出し、その突出片１３が前述の突片部２ｈである。
【００２１】
前記横格子２は前述の本体１０と装飾体２０を一体とした形状であっても良い。例えば、図４に示すようにアルミ押出形材の一体形状とする。
この場合には、突片部２ｈを二点鎖線で示すように外側面２ｆの上下中間に設けることができる。
【００２２】
前述した実施の形態では横格子体をバルコニーの手摺としたが、階段の手摺、フェンスなどとして用いることができる。
【図面の簡単な説明】
【００２３】
【図１】本発明の実施の形態を示すバルコニーの手摺の外観図である。
【図２】図１のＡ−Ａ拡大断面図である。
【図３】横格子の第２の実施の形態を示す取付け状態の断面図である。
【図４】横格子の第３の実施の形態を示す断面図である。
【符号の説明】
【００２４】
１…支柱、１ａ…外側面、２…横格子、２ａ…内側部分、２ｂ…外側部分、２ｃ…上面、２ｄ…下面、２ｅ…内側面、２ｆ…外側面、２ｇ…空気ガイド面、２ｈ…突片部。
【図１】
2008175016.tif 000003
【図２】
2008175016.tif 000004
【図３】
2008175016.tif 000005
【図４】
2008175016.tif 000006